(57)【特許請求の範囲】
【請求項１】
筒状のケース本体の底壁に板ばねによって構成された電池接続用端子を配設し、ケース本体の開口から円筒形の電池を装填して該電池の端面電極を前記電池接続用端子に接触させる電池ケースにおいて、前記ケース本体の側壁にばねを配設し、該ばねによって電池を側壁に付勢して位置決めさせるようにしたことを特徴とする電池ケース。
【請求項２】
前記ばねは、前記ケース本体と一体成形された樹脂ばねである請求項１の電池ケース。
【請求項３】
前記ばねは、前記ケース本体から前記電池の自重による落下を防止することができる付勢力を有することを特徴とする請求項１又は２の電池ケース。
【発明の詳細な説明】
【０００１】
【発明の属する技術分野】
本発明は電池ケースに係り、特に円筒形の電池を収容する電池ケースに関する。
【０００２】
【従来の技術】
電池や電池接続用端子の接点部は長時間放置しておくと、表面に酸化皮膜が形成され、電気的接触抵抗が大きくなる。特に、デジタルカメラの場合には、電気的接触抵抗が大きくなると、撮影可能枚数にバラツキが生じる虞がある。このような電気的接触抵抗が変動することにより影響を受ける電子機器では、定期的に電池の電極や電池接続用端子に形成される酸化皮膜を除去する必要がある。
【０００３】
ところで、電池ケースでは、図３に示したように、筒状のケース本体１の底壁１ａに板ばねによって構成された電池接続用端子２を配設し、ケース本体１の開口１ｂから電池３を装填して該電池３の端面電極３ａを電池接続用端子２に接触させるものがある。このような電池ケースの場合には、電池接続用端子２がケース内の奥にあるため、電池接続用端子２に形成された酸化皮膜を取り除くことが難しい。
【０００４】
そこで、このような電池ケースでは、電池接続用端子２として板ばねを用い、電池３の端面電極３ａが電池接続用端子２に当接し、さらに電池３が押し込まれると、電池接続用端２が撓められながら半径方向へ移動し、その間に、電池接続用端子２が電池の端面電極３ａを擦ることによって互いの酸化皮膜を除去する、いわゆるセルフクリーニングを行っている。
【０００５】
【発明が解決しようとする課題】
ところで、円筒形の電池、例えば単三電池においては径が１３．５〜１４．５ｍｍと規格値が大きく開いているため、ケース本体１の内径もそれを考慮して電池３の最大径よりも少し大きく設計されている。したがって、ケース本体１内で電池３が電池接続用端子２を撓めながら押し込まれる際に、図４に示したように、電池接続用端子２の移動と共に電池３も半径方向へ移動して、電池３と電池接続用端子２との間の相対的な摺動が得られず、セルフクリーニングが行えない場合がある。
【０００６】
本発明はこのような事情に鑑みてなされたもので、電池電極を確実にセルフクリーニングすることができる電池ケースを提供することを目的とする。
【０００７】
【課題を解決するための手段】
上記目的を達成するために請求項１に係る電池ケースでは、筒状のケース本体の底壁に板ばねによって構成された電池接続用端子を配設し、ケース本体の開口からアルカリ乾電池を装填して該電池の端面電極を前記電池接続用端子に接触させる電池ケースにおいて、前記ケース本体の側壁にばねを配設し、該ばねによって電池を側壁に付勢して位置決めさせるようにしたことを特徴としている。
【０００８】
この発明の電池ケースによれば、電池が一方の側壁に圧接された状態に位置決めされ、その状態で電池接続用端子を撓めて所定位置まで押し込まれる。その間、電池接続用端子は撓められながら半径方向へ移動し、電池の端面電極を擦る。
【０００９】
請求項２に示すように前記ばねは、前記ケース本体と一体成形された樹脂ばねである。これにより、部品点数や組立工数が増加することがない。
【００１０】
請求項３に示すように前記ばねは、前記ケース本体から前記電池の自重による落下を防止することができる付勢力を有することを特徴としている。これにより、電池交換時の電池の落下を防止することもできる。
【００１１】
【発明の実施の形態】
図１及び図２は本発明に係る電池ケースを示したもので、図１は一部を断面にした概念的な斜視図であり、図２はその作用を示した概念的な要部拡大断面図である。
【００１２】
この電池ケース１０では、図１に示したように、弾力性を有する合成樹脂によって形成された筒状のケース本体１１を備えている。そして、ケース本体１１の底壁１２には、板ばねによって構成された電池接続用端子１３が設置されている。一方、この電池ケース１０では、ケース本体１１の上端に、上部開口を覆うカバー１４がヒンジ１５等によって開閉自在に設置されている。そして、このカバー１４の下端面には面状の端子１６が配設されている。
【００１３】
また、この電池ケース１０では、側壁１７にばね１８が配設されている。このばね１８は、図１に示したようにケース本体１１と一体に形成された樹脂ばねである。
【００１４】
このように構成された電池ケース１０では、図１に示したように、円筒形の電池２０が電池ケース１０の電池収容空間１９へ挿入される。すると、図２に示したように、電池２０は、ばね１８の付勢力によって一方の側壁１７へ圧接される。そして、電池２０はこの状態でさらに押し込まれると、電池２０の端面電極２１が端子１３によって擦られながら２点鎖線で示した所定の位置まで達する。この間、電池２０の端面電極２１は、端子１３によって距離Ｌだけ擦られることになる。このようにして電池２０を電池収容空間１９内に装填したならば、カバー１４で開口を塞ぐ。すると、端子１６が電池２０の端面電極２２に接触する。
【００１５】
なお、上記実施の形態では、ばね１８をケース本体１１と一体に形成しているが、ばね１８をケース本体１１とは別体に形成して、ばね１８をケース本体１１の側壁１７に固定してもよい。その場合には、ケース本体１１の側壁１７に孔を形成し、ばね１８の一端を側壁１７の外周面にねじ等によって固定し、ばね１８の先端を孔を介してケース本体１１の電池収容空間１９内に臨ませることが好ましい。
【００１６】
また、ばね１８は、電池２０の自重による落下を防止することができる付勢力を有するとともに、前記板ばねによって構成された電池接続用端子１３の付勢力によって電池２０が開口方向へ押し出されることを阻止しない程度の付勢力を有するものが好ましい。このようにばね１８の付勢力を設定することで、電池交換時に電池の落下を防止することができるとともに、電池接続用端子１３と端子１６との間で電池２０の電極に対して所要の接触圧を得ることができる。
【００１７】
上記実施の形態では、アルカリ乾電池の−極を電池接続用端子に当接させる例を示したが、＋極を電池接続用端子に接続させる場合も同様である。
【００１８】
また、上記実施の形態では、１本の電池を収容する電池ケースを示したが、複数本の乾電池を収容する電池ケースにも適用することができることは勿論である。
【００１９】
【発明の効果】
本発明に係る電池ケースでは、電池が一方の側壁に圧接された状態に位置決めされ、その状態で電池接続用端子を撓めて所定位置まで押し込まれる。その間、電池接続用端子は撓められながら半径方向へ移動し、電池の端面電極を擦る。したがって、この電池ケースによれば、電池の端面電極と電池接続用端子が電池装填時に常に互いに擦れ合うため、セルフクリーニングが常に行われる。
【００２０】
また、本発明に係る電池ケースでは、ばねによって電池が側壁に圧接されているので、電池交換時等に電池が電池ケースから脱落するのを防止することができる。
【図面の簡単な説明】
【図１】本発明に係る電池ケースの一部を断面にして示した概念的な斜視図である。
【図２】本発明に係る電池ケースの作用を示した概念的な要部拡大断面図である。
【図３】従来の電池ケースの一部を断面にして示した概念的な斜視図である。
【図４】従来の電池ケースの作用を示した概念的な要部拡大断面図である。
【符号の説明】
１０…電池ケース、１１…ケース本体、１２…底壁、１３…電池接続用端子、１４…カバー、１５…ヒンジ、１６…端子、１７…側壁、１８…ばね、１９…電池収容空間、２０…アルカリ乾電池、２１，２２…端面電極
【図１】
0004189846.tif 000002
【図２】
0004189846.tif 000003
【図３】
0004189846.tif 000004
【図４】
0004189846.tif 000005